(57)【要約】【課題】本発明は、前記事情に基づいてなされたものであり、見開き状態の小冊子を閉じた時に自然に開くことのない、携帯性と保管性に優れた折り畳み式小冊子を提供することを目的とする。【解決手段】中央部で二つ折りが可能な台紙１の内面側に、表示シート２を折り畳んで貼り付けて備え、前記台紙１を開いた時に表示シート２が台紙１からはみ出して広がる様になっており、台紙１に閉じた時にその状態を保持するための閉鎖保持手段を設けたことを特徴とする。【選択図】  図１
2004230734.tif 000002
【特許請求の範囲】
【請求項１】
中央部で二つ折りが可能な台紙（１）の内面側に、表示シート（２）を折り畳んで貼り付けて備え、前記台紙（１）を開いた時に表示シート（２）が台紙（１）からはみ出して広がる様になっており、台紙（１）に閉じた時にその状態を保持するための閉鎖保持手段を設けたことを特徴とする折り畳み式小冊子。
【請求項２】
ジグザグ状に三つ折りが可能な台紙（７）の隣り合う面のそれぞれの内面側に、表示シート（２，２）を折り畳んで貼り付けて備え、前記台紙（７）を開いた時に各表示シート（２）が台紙（７）からはみ出して広がる様になっており、台紙（７）を閉じた時にその状態を保持するための閉鎖保持手段を設けたことを特徴とする折り畳み式小冊子。
【請求項３】
ジグザグ状に四つ折りが可能な台紙（１２）の隣り合う面のそれぞれの内面側に、表示シート（２，２，２）を折り畳んで貼り付けて備え、前記台紙（１２）を開いた時に各表示シート（２）が台紙（１２）からはみ出して広がる様になっており、台紙（１２）を閉じた時にその状態を保持するための閉鎖保持手段を設けたことを特徴とする折り畳み式小冊子。
【発明の詳細な説明】
【０００１】
【発明が属する技術分野】
本発明は、折り畳み式小冊子に関するものである。
【０００２】
【従来の技術】
近年、各地の観光地等の案内、各種地図、電車、バス等の時刻表、パンフレット等は、携帯・保管しやすいように幾重にも折り曲げられ、小さく折り畳まれて小冊子になっている。
しかしながら、このように幾重にも折り曲げられた小冊子は、それを見開き、元に閉じようとしても閉じた状態を保持できず自然に開いてしまうという問題があった。
【０００３】
【発明が解決しようとする課題】
本発明は、前記事情に基づいてなされたものであり、見開き状態の小冊子を閉じた時に自然に開くことのない、携帯性と保管性に優れた折り畳み式小冊子を提供することを目的とする。
【０００４】
【課題を解決するための手段】
上記課題を解決するためになされた本発明のうち、請求項１記載の発明は、中央部で二つ折りが可能な台紙の内面側に、表示シートを折り畳んで貼り付けて備え、前記台紙を広げた時に表示シートが台紙からはみ出して広がる様になっており、台紙を閉じた時にその状態を保持するために、閉鎖保持手段を設けたことを特徴としている。ここでいう、内面側とは、折られた台紙の谷側面のことである。
また、表示シートとは、本発明では例えば、電車、バスの時刻表、各種地図、観光地等の案内図等を記載したものである。
【０００５】
また、請求項２記載の発明は、ジグザグ状に三つ折りが可能な台紙の隣り合う面のそれぞれの内面側に、表示シートを折り畳んで貼り付けて備え、前記台紙を広げた時に各表示シートが台紙からはみ出して広がる様になっており、台紙を閉じた時にその状態を保持するために、閉鎖保持手段を設けたことを特徴としている。
【０００６】
更に、請求項３記載の発明は、ジグザグ状に四つ折りが可能な台紙の隣り合う面のそれぞれの内面側に、表示シートを折り畳んで貼り付けて備え、前記台紙を広げた時に各表示シートが台紙からはみ出して広がる様になっており、台紙を閉じた時にその状態を保持するために、閉鎖保持手段を設けたことを特徴としている。
【０００７】
【発明の実施の形態】
以下、本発明による実施形態を図面に基づき説明する。図１〜図４は、第１実施形態例の折り畳み式小冊子を表すものである。図１、図２及び図３において、点線は谷折り部、実線は山折り部を意味している。第１実施形態の折り畳み式小冊子は、長方形状をし且つ、中央で二つに折り曲げられた台紙１の隣り合う面の谷折り面である内面側に、幾重にも折り曲げられた表示シート２を取着した形で形成される。そして、この表示シート２は、中央で折り曲げられた台紙１の谷折り面側に、接着剤で取着されている。
【０００８】
表示シート２には、図１及び図２に示す様に、山折り線と谷折り線を設けてある。このように折り目をつければ、台紙１を折り畳んだ時に、表示シート２がはみ出すことなく折り畳まれる。前記表示シートの具体的な実施形態は、以下の通りである。
【０００９】
すなわち、図１に示す様に、その見開き状態において、中央部に山折り線である５ｅを設け、前記５ｅの中央部から、約４５度の角をなす谷折り線６ｅ、６ｆ、６ｇ、６ｈをそれぞれ設け、前記谷折り線６ｅ、６ｆ、６ｇ、６ｈのそれぞれの延長方向に山折り線５ａ、５ｂ、５ｃ、５ｄをそれぞれ設ける。そして、山折り線５ａ、５ｂ、５ｃ、５ｄからそれぞれ４５度の角をなす６ａ、６ｂ、６ｃ、６ｄ、６ｉ、６ｊ、６ｋ、６ｌを設ける。
【００１０】
上記の各山折り線、各谷折り線をそれぞれ山折り、谷折りすれば、図２乃至図４に示す様に折り目がつき、表示シート２が台紙からはみ出すことなくコンパクトに折り畳むことができる。即ち、本実施形態例については、表示シートは、見開き状態の表示シートのほぼ４分の１の大きさに折り畳むことができる。
尚、本実施例の表示シートの折り方に限らず、表示シート２が折り畳まれた台紙からはみ出さない様な折り方であれば、どのような折り方でも良い。
【００１１】
また、台紙１には閉鎖保持手段を設けてある。該閉鎖保持手段は、図２乃至図３に示す様に、台紙１の一方の側縁部にＵ字状に切り込んで形成した係止片３を有し、他方の側縁部に、直線状の切り込みからなる被係止部４を有する。そして、図４に示す様に、台紙１を折り目を中心に折り畳み、係止片３と被係止部４を対面させ、前記係止片３を前記被係止部４に挿入して係止させる。このようにすれば、台紙１が自然に開いてしまうことを防ぐことができる。
【００１２】
前記閉鎖保持手段は、図５に示す様に、台紙の一方の側縁部にほぼＴ字形状に形成した係止片２０と、他方の側縁部には前記係止片２０が引っ掛かるＴ字状に切り抜いた被係止部１９と、を備えた閉鎖保持手段でも良い。
また、図６に示す様に、面ファスナーを使用しても良い。すなわち、一方の側縁部には鉤止部材２１を設け、他方の側縁部には前記鉤止部材２１に係合離脱可能に係合する被鉤止部材２２を備えても良い。更に、他の閉鎖保持手段としては、ゴム磁石による吸着作用を利用したものでも良い。
【００１３】
図７〜図９は第２実施形態例の折り畳み式の小冊子を表すものである。第２実施形態例の折り畳み式小冊子は、図７及び図８に示す様に、台紙７の隣り合う面の谷折り面側に、幾重にも折り曲げられた前記第１実施形態の表示シート２と同様の折り構造を備える各表示シート２，２をそれぞれ取着した形で形成される。
すなわち、台紙７は、長方形の形状をしており、図７及び図８に示す様に、台紙７をジグザグ状に三つ折りできる様、折り目が付いており、このように形成される台紙７は、７ａ面、７ｂ面、７ｃ面の３面からなっている。そして、表示シート２，２は、三つ折りされ各面のそれぞれ谷折り面側、すなわち、７ａ面と７ｂ面からなる谷折り面と、７ｂ面と７ｃ面からなる谷折り面とに、接着剤によりそれぞれ取着されている。
【００１４】
また、台紙７には閉鎖保持手段を設けてある。前記閉鎖保持手段は、図７及び図８に示す様に、７ａ面の側縁部と７ｃ面の側縁部にＵ字状の切り込みより形成した係止片８，１１を有し、７ｂ面の両側縁部に、直線状の切り込みからなる被係止部９，１０を有する。そして、図９に示す様に、台紙７を三つ折りし、７ａ面と７ｂ面とを対面させ、係止片８を被係止部９に挿入して係止させる、また、７ｃ面と７ｂ面とを対面させ、係止片１１を被係止部１０挿入して係止させる。このようにすれば、台紙７が自然に開いてしまうことを防ぐことができる。
【００１５】
図１０〜図１５は、この第３実施形態例の折り畳み式の小冊子を表すものである。この第３実施形態例の折り畳み式小冊子は、台紙１２の隣り合う面の谷折り面側に、幾重にも折り曲げられた表示シート２，２，２をそれぞれ取着した形で形成される。各表示シート２，２，２の折り畳み方は、第１実施形態例及び第２実施形態例の場合と全く同じである。台紙１２は、長方形の形状をしており、ジグザグ状に四つ折りできるように、折り目が付いているものである。このように形成される台紙１２は、図１２に示す様に、１２ａ面、１２ｂ面、１２ｃ面、１２ｄ面の４面から形成される。そして、各表示シート２，２，２は、四つ折りされた台紙１２の谷折り面側、すなわち、１２ａ面と１２ｂ面からなる谷折り面、１２ｂ面と１２ｃ面からなる谷折り面、１２ｃ面と１２ｄ面からなる谷折り面に、接着剤でそれぞれ取着されている。
【００１６】
台紙１２には閉鎖保持手段を設けてある。前記閉鎖保持手段は、図１０及び図１１に示す様に、１２ａ面の一方の側縁部にＵ字状の切り込みにより形成した係止片１３を有し、他方の側縁部に直線状の切り込みからなる被係止部１４を有する。また、１２ｃ面の一方の側縁部にＵ字状の切り込みにより形成した係止片１７を有し、他方の側縁部に直線状の切れ込みからなる被係止部１６を有する。更に、１２ｄ面の側縁部にＵ字状の切り込みから形成した係止片１８を有し、１２ｂ面の側縁部に直線状の切り込みからなる被係止部１５を有する。
【００１７】
そして、図１３に示す様に、台紙１２を四つ折りし、１２ａ面と１２ｂ面を対面させ、係止片１３を被係止部１５に挿入して係止させ、１２ｃ面と１２ｄ面を対面させ、係止片１８を被係止部１６に挿入して係止させ、また、１２ｂ面と１２ｃ面を対面させ、係止片１７を被係止部１４に挿入して係止させる。このようにすれば、台紙１２が自然に開いてしまうことを防ぐことができる。
【００１８】
尚、第２，３実施形態例で記載した閉鎖保持手段については、折り畳んだ小冊子を閉じた状態を保てるものであれば他の手段であっても良く、例えば、図１４及び図１５に示す様に、第１実施形態例の場合と同様に鉤止部材２１と被鉤止部材２２とからなる面ファスナーを使用したものでも良い。尚、鉤止部材２１と被鉤止部材２２を取り付ける箇所については、本実施形態例では、図１４及び図１５に示す様に、各面の側縁部とする。
第２実施形態例及び第３実施形態例に示す様に、台紙に閉鎖保持手段を設けた事により、台紙の三つ折りや四つ折りにして分厚くなった小冊子も確実にコンパクトに保つことができる。
【００１９】
【発明の効果】
本発明のうち請求項１記載の発明は、二つ折りが可能な折り畳み式小冊子に閉鎖保持手段を設けたことで、前記折り畳み式の小冊子が閉じた状態を保持できるので、台紙が小冊子の記載内容（電車、バスの時刻表、各種地図、観光地等の案内図やパンフレット）を保護することとなり、記載内容の破損や損傷等を確実に防ぐことができると共に、バックなどに入れても、広がらず、重ばらないので、携帯性と保管性に優れた折り畳み式小冊子を提供することができる。
【００２０】
本発明のうち請求項２記載の発明は、請求項１記載の効果に加えて、折り畳み式の小冊子を三つ折りにし、表示シートを増やすことで、請求項１記載の二つ折りの折り畳み式小冊子に比べて、記載できる情報量が増えるので、詳しい観光地の案内等が記載でき、広い範囲の地図等を記載できる折り畳み式小冊子を提供することができる。
【００２１】
本発明のうち請求項３記載の発明は、前記請求項１，２記載の効果に加えて、折り畳み式の小冊子を四つ折りにし、更に表示シートを増やすことで、より一層記載できる情報量が増えるので、一段と詳しい観光地の案内等が記載でき、一段と広い範囲の地図を記載できる折り畳み式小冊子を提供することができる。
また、閉鎖保持手段を備えているので、三つ折り及び四つ折りとなって、複数の表示シートを折り畳んで分厚くなり、自然に開き易い状態になっている小冊子を、コンパクトに保つことができ、台紙により折り畳んだ内部の表示シートを確実に保護すると共に、携帯性と保管性に優れた折り畳み式小冊子を提供することができる。
【図面の簡単な説明】
【図１】第１実施形態例の開いた状態を表す正面図である。
【図２】第１実施形態例の半開き状態を表す斜視図である。
【図３】第１実施形態例の半開き状態を表す斜視図である。
【図４】第１実施形態例の閉じた状態を表す側面図である。
【図５】第１実施形態例の半開き状態を表す斜視図である。
【図６】第１実施形態例の半開き状態を表す斜視図である。
【図７】第２実施形態例の半開き状態を表す斜視図である。
【図８】第２実施形態例の半開き状態を表す斜視図である。
【図９】第２実施形態例の閉じた状態を表す側面図である。
【図１０】第３実施形態例の半開き状態を表す斜視図である。
【図１１】第３実施形態例の半開き状態を表す背面側から見た斜視図である。
【図１２】第３実施形態例の半開き状態を表す側面側から見た斜視図である。
【図１３】第３実施形態例の閉じた状態を表す側面図である。
【図１４】第３実施形態例の半開き状態を表す斜視図である。
【図１５】第３実施形態例の半開き状態を表す斜視図である。
【符号の説明】
１，７，１２  台紙
２  表示シート
３，８，１１，１３，１７，１８，２０  係止片
４，９，１０，１４，１５，１６，１９  被係止部
５ａ，５ｂ，５ｃ，５ｄ，５ｅ  山折り線
６ａ，６ｂ，６ｃ，６ｄ，６ｅ，６ｆ，６ｇ，６ｈ，６ｉ，６ｊ，６ｋ，６ｌ谷折り線
２１  鉤止部材
２２  被鉤止部材
【図１】
2004230734.tif 000003
【図２】
2004230734.tif 000004
【図３】
2004230734.tif 000005
【図４】
2004230734.tif 000006
【図５】
2004230734.tif 000007
【図６】
2004230734.tif 000008
【図７】
2004230734.tif 000009
【図８】
2004230734.tif 000010
【図９】
2004230734.tif 000011
【図１０】
2004230734.tif 000012
【図１１】
2004230734.tif 000013
【図１２】
2004230734.tif 000014
【図１３】
2004230734.tif 000015
【図１４】
2004230734.tif 000016
【図１５】
2004230734.tif 000017